【事件の表示】
　特願２０１８−３３９７６号「遊技機」拒絶査定不服審判事件〔平成３０年６月７日出願公開、特開２０１８−８６４４８号〕について、次のとおり審決する。
【結　論】
　本件審判の請求は、成り立たない。
【理　由】
第１　手続の経緯の概要
　本願は、平成３０年２月２７日の出願であって、同年１１月５日付けで拒絶の理由が通知され、同年１２月２７日に意見書及び手続補正書が提出されたところ、平成３１年２月８日付け（送達日：同年２月１９日）で拒絶査定（以下「原査定」という。）がなされ、それに対して、同年４月２４日に拒絶査定不服審判の請求がなされると同時に手続補正がなされ、これに対し、当審において、令和１年１０月７日付けで拒絶の理由が通知され、同年１１月２９日に意見書及び手続補正書が提出され、これに対し、当審において、同年１２月２７日付けで最後の拒絶の理由が通知され、令和２年３月５日に意見書及び手続補正書が提出されたものである。
　
第２　令和２年３月５日にされた手続補正についての補正の却下の決定
［補正の却下の決定の結論］
　令和２年３月５日にされた手続補正（以下「本件補正」という。）を却下する。
　
［理由］
　１　補正の内容
　本件補正により、令和１年１１月２９日付け手続補正書の特許請求の範囲の請求項１における
「【請求項１】
　数字画像を表示可能な第１表示装置と、
　数字画像を表示可能な第２表示装置と、
　前記表示装置に前記数字画像を表示させる表示制御手段と、を備えた遊技機であって、
　前記表示制御手段は、１桁の数字画像を所定の順序で表示するカウント表示にあたり、前記カウント表示の開始から終了までを前記第１表示装置と前記第２表示装置とに跨る跨ぎ表示でおこない、前記跨ぎ表示は、前記１桁の数字画像の一部分を第１表示装置に表示し、前記１桁の数字画像の残り部分を第２表示装置に表示する表示である、
　ことを特徴とする遊技機。」は、
　令和２年３月５日付け手続補正書の特許請求の範囲の請求項１における
「【請求項１】
　数字画像を表示可能な第１表示装置と、
　数字画像を表示可能な第２表示装置と、
　前記表示装置に前記数字画像を表示させる表示制御手段と、を備えた遊技機であって、
　前記表示制御手段は、
図柄の変動表示とは別に、１桁の数字を構成する画像である数字画像を表示可能であり、前記数字が所定値から０になるまで前記数字画像を更新表示するカウントダウン演出を実行可能となっており、前記カウントダウン演出は、
跨ぎ表示でおこなわれる、
　ことを特徴とする遊技機。」に補正された（下線は、補正箇所を明示するために当審判合議体にて付した。）。
　
　２　補正の適否
　２−１　補正の目的及び新規事項について
　本件補正は、補正前の請求項１に記載した発明を特定するために必要な事項である「表示制御手段」が行う「カウント表示」に関して、「１桁の数字画像を所定の順序で表示するカウント表示にあたり、前記カウント表示の開始から終了までを前記第１表示装置と前記第２表示装置とに跨る跨ぎ表示でおこない、前記跨ぎ表示は、前記１桁の数字画像の一部分を第１表示装置に表示し、前記１桁の数字画像の残り部分を第２表示装置に表示する表示である」とあったものを「
図柄の変動表示とは別に、１桁の数字を構成する画像である数字画像を表示可能であり、前記数字が所定値から０になるまで前記数字画像を更新表示するカウントダウン演出を実行可能となっており、前記カウントダウン演出は、
跨ぎ表示でおこなわれる
　そして、補正後の請求項１に係る発明は、補正前の請求項１に係る発明と、産業上の利用分野及び解決しようとする課題が同一であるから、本件補正のうち特許請求の範囲の請求項１についてする補正は、特許法第１７条の２第５項第２号に掲げる「特許請求の範囲の減縮」を目的とする補正に該当する。
　また、本件補正は、願書に最初に添付した明細書の段落【０６５５】〜【０６５７】、【図１２１（Ｂ）】等の記載からみて、新規事項を追加するものではないから、特許法第１７条の２第３項に規定する要件を満たす。
　
　２−２　独立特許要件について
　そこで、本件補正後の請求項１に係る発明（以下「本件補正発明」という。）が特許出願の際に独立して特許を受けることができるものであるか否か、すなわち、特許法第１７条の２第６項において準用する同法第１２６条第７項の規定に適合するか否かについて、以下に検討する。
　
　（１）本件補正発明
　本件補正発明は、次のとおりのものであると認める（記号Ａ〜Ｅは、分説するため当審判合議体にて付した。）。
「Ａ　数字画像を表示可能な第１表示装置と、
　Ｂ　数字画像を表示可能な第２表示装置と、
　Ｃ　前記表示装置に前記数字画像を表示させる表示制御手段と、を備えた遊技機であって、
　Ｄ　前記表示制御手段は、図柄の変動表示とは別に、１桁の数字を構成する画像である数字画像を表示可能であり、前記数字が所定値から０になるまで前記数字画像を更新表示するカウントダウン演出を実行可能となっており、前記カウントダウン演出は、前記１桁の数字画像の一部分を第１表示装置に表示し、前記１桁の数字画像の残り部分を第２表示装置に表示する跨ぎ表示でおこなわれる、
　Ｅ　ことを特徴とする遊技機。」
　
　（２）引用例１
　当審判合議体による令和１年１２月２７日付け拒絶理由に引用例１として引用された、本願の出願前に電気通信回線を通じて公衆に利用可能となった特開２０１７−２１３３７８号公報には、図面とともに以下の事項が記載されている（下線は当審判合議体にて付した。以下同じ。）。
　　　ア　記載事項
　　　（ア）「【発明を実施するための形態】
【００１０】
　以下、図面を用いて、本発明に係る遊技台（例えば、
パチンコ機１００
　
　　　（イ）「【００２４】
　払出装置１５２の図中左側には、遊技全般の制御処理を行う主制御部３００（図４参照）を構成する主基板１５６を収納する主基板ケース１５８、主制御部３００が生成した処理情報に基づいて演出に関する制御処理を行う第１副制御部４００（図４参照）を構成する第１副基板１６０を収納する第１副基板ケース１６２、第１副制御部４００が生成した処理情報に基づいて
演出に関する制御処理を行う第２副制御部５００
　
　　　（ウ）「【００６１】
　次に、パチンコ機１００の第２副制御部５００について説明する。
第２副制御部５００は、
画像を表示する
　
　　　（エ）「【０２８９】
　その後、図２０（３）〜同図（７）に示すように、
タイマ予告表示ＴＭ１におけるカウントダウンは、「００：００」となるまで継続して行われる。
　
　　　（オ）「【０３９３】
「
図２７は、タイマ予告演出の他の例を段階的に示す図である。
・・・
【０３９５】
　図２７（Ａ１）に示す装飾図柄表示装置２０８では、装飾図柄の変動表示が行われている様子が示されている。また、図２７（Ａ１）に示すタイミングでは、特図１の保留数が１となっており、第一の保留アイコンｈ１１が表示されるとともに、第２保留数表示では、特図１の保留数が１であることを示す「１」が表示されている。また、変動アイコンｈ０及びナビキャラクタＹＭも表示されている。また、
図２７（Ａ１）に示す装飾図柄表示装置２０８では、タイマ予告演出が開始されており、タイマ予告表示ＴＭ１では「０６：９９」が表示され、カウントダウンが行われている。
　
　　　（カ）「【０４０４】
　図２７（Ｃ１）〜同図（Ｃ６）に示す演出例は、複数の装飾図柄表示装置を用いたタイマ上乗せ演出の別の例について示している。ここで、図２７（Ｃ１）〜同図（Ｃ６）に示す演出例では、図１４（ｂ）に示す演出装置２０６を適用し、さらに、第１装飾図柄表示装置２０８Ｌの外周が装飾部材に重なっておらず、当該領域に表示される画像についても視認可能に構成されている。このとき、第１装飾図柄表示装置２０８Ｌの左右両側が、
第２装飾図柄表示装置２０８Ｍ及び第３装飾図柄表示装置２０８Ｎ
【０４０５】
　図２７（Ｃ１）に示す第１装飾図柄表示装置２０８Ｌでは、装飾図柄の変動表示が行われている様子が示されている。また、図２７（Ｃ１）に示すタイミングでは、特図１の保留数が１となっており、表示領域の下方左側に形成されている第２ＵＩ部２８１における保留表示領域に第一の保留アイコンｈ１１が表示されるとともに、表示領域の右上隅部に配置されている第２保留数表示では、特図１の保留数が１であることを示す「１」が表示されている。また、第１装飾図柄表示装置２０８Ｌの表示画面の下方右側には、第１ＵＩ部２８０が形成されており、この第１ＵＩ部２８０には、変動アイコンｈ０及びナビキャラクタＹＭが表示されている。
【０４０６】
　また、
第３装飾図柄表示装置２０８Ｎでは、タイマ予告演出が行われており、タイマ表示のカウントダウンが行われている。
【０４０７】
　また、第２装飾図柄表示装置２０８Ｍでは、「上乗せ１０秒」の文字が表示されており、第３装飾図柄表示装置２０８Ｎにおけるタイマ表示に上乗せされる時間が報知されている。
【０４０８】
　その後、図２７（Ｃ２）に示すように、第２装飾図柄表示装置２０８Ｍ及び第３装飾図柄表示装置２０８Ｎが、第１装飾図柄表示装置２０８Ｌの表示面に沿って互いに近接する方向に移動し、図２７（Ｃ３）に示すように、第２装飾図柄表示装置２０８Ｍ及び第３装飾図柄表示装置２０８Ｎが最も近接する位置で停止する。このとき、第３装飾図柄表示装置２０８Ｎは、ナビキャラクタＹＭの一部にオーバーラップし、ナビキャラクタＹＭは、第３装飾図柄表示装置２０８Ｎにオーバーラップされていない状態である場合よりも視認困難となっている。
【０４０９】
　すると、
図２７（Ｃ４）に示すように、第３装飾図柄表示装置２０８Ｎに表示されていたタイマ表示が示す時間に１０秒が上乗せされた時間を示す「１５：００」の表示が、第２装飾図柄表示装置２０８Ｍと第３装飾図柄表示装置２０８Ｎとに跨って表示される。
【０４１０】
　その後、図２７（Ｃ５）に示すように、「１５：００」の表示が第３装飾図柄表示装置２０８Ｎに表示され、第２装飾図柄表示装置２０８Ｍにタイマ表示が表示されていない状態で、第２装飾図柄表示装置２０８Ｍ及び第３装飾図柄表示装置２０８Ｎが、第１装飾図柄表示装置２０８Ｌの表示面に沿って初期位置への移動を開始する。第３装飾図柄表示装置２０８Ｎにおける「１５：００」の表示開始のタイミングと、第２装飾図柄表示装置２０８Ｍ及び第３装飾図柄表示装置２０８Ｎの移動開始のタイミングとが同じであってもよいし、第３装飾図柄表示装置２０８Ｎにおける「１５：００」の表示が開始された後で、第２装飾図柄表示装置２０８Ｍ及び第３装飾図柄表示装置２０８Ｎが移動を開始してもよいし、第２装飾図柄表示装置２０８Ｍ及び第３装飾図柄表示装置２０８Ｎが移動を開始した後で、第３装飾図柄表示装置２０８Ｎにおける「１５：００」の表示が開始されてもよい。
【０４１１】
　その後、図２７（Ｃ６）に示すように、第２装飾図柄表示装置２０８Ｍ及び第３装飾図柄表示装置２０８Ｎが初期位置まで戻った後、第３装飾図柄表示装置２０８Ｎにおけるタイマ表示のカウントダウンが再開される。なお、
「１５：００」の表示が第２装飾図柄表示装置２０８Ｍと第３装飾図柄表示装置２０８Ｎとに跨って表示された状態（例えば、図２７（Ｃ４）に示す状態）でタイマ表示のカウントダウンが再開されてもよい。
　
　　　（キ）【図２７】（タイマ予告演出の他の例を段階的に示す図である。）
　
　　　（ク）「【０８１１】
　なお、タイマ予告表示の開始とは、第一の表示の表示が開始されたことであってもよいし、
カウントダウン表示の表示
数字が表示された
カウントダウン表示によるカウントダウンが終了したことであってもよく（例えば、０が表示）
　
　
　　　イ　認定事項
　引用例１には、【００２４】に「・・・演出に関する制御処理を行う第２副制御部５００・・・」と記載され、
　【０３９３】に「図２７は、タイマ予告演出の他の例を段階的に示す図である。」と記載され、
　【０３９５】に「・・・図２７（Ａ１）に示す装飾図柄表示装置２０８では、タイマ予告演出が開始されており、タイマ予告表示ＴＭ１では「０６：９９」が表示され、カウントダウンが行われている。」と記載され、
　【０４０６】に「・・・第３装飾図柄表示装置２０８Ｎでは、タイマ予告演出が行われており、タイマ表示のカウントダウンが行われている。」と記載され、
　【０４０９】に「図２７（Ｃ４）に示すように、第３装飾図柄表示装置２０８Ｎに表示されていたタイマ表示が示す時間に１０秒が上乗せされた時間を示す「１５：００」の表示が、第２装飾図柄表示装置２０８Ｍと第３装飾図柄表示装置２０８Ｎとに跨って表示される。」と記載され、
　【０４１１】に「「１５：００」の表示が第２装飾図柄表示装置２０８Ｍと第３装飾図柄表示装置２０８Ｎとに跨って表示された状態（例えば、図２７（Ｃ４）に示す状態）でタイマ表示のカウントダウンが再開されてもよい。」と記載され、
　【０８１１】に「・・・カウントダウン表示によるカウントダウンが終了したことであってもよく（例えば、０が表示）・・・」と記載されている。
　また、【図２７】（Ｃ４）には、「１５：００」の表示が、第２装飾図柄表示装置２０８Ｍと第３装飾図柄表示装置２０８Ｎとに跨って表示された状態、すなわち、小数点第２位から２桁までからなる「４桁の数字画像」および「：」のうち、「２桁目の数字画像」と「・」と「小数点１桁目の数字画像」とを、左側に位置する第２装飾図柄表示装置２０８Ｍに上中下に表示し、「１桁目の数字画像」と「・」「小数点２桁目の数字画像」とを、右側に位置する第３装飾図柄表示装置２０８Ｎに上中下に表示することで、「４桁の数字画像」および「：」を第２装飾図柄表示装置２０８Ｍと第３装飾図柄表示装置２０８Ｎとに跨がって表示された状態が図示されている。
　上記記載事項、および、【図２７】（Ｃ４）の図示内容からみて、引用例１には、「
第２副制御部５００は、タイマ予告表示ＴＭ１のタイマ表示のカウントダウンを行うタイマ予告演出において、タイマ表示が示す時間に１０秒が上乗せされた時間を示す「１５：００」の表示を、第２装飾図柄表示装置２０８Ｍと第３装飾図柄表示装置２０８Ｎとに跨って表示された状態、
すなわち、小数点第２位から２桁までからなる「４桁の数字画像」および「：」のうち、「２桁目の数字画像」と「・」と「小数点１桁目の数字画像」とを、左側に位置する第２装飾図柄表示装置２０８Ｍに上中下に表示し、「１桁目の数字画像」と「・」「小数点２桁目の数字画像」とを、右側に位置する第３装飾図柄表示装置２０８Ｎに上中下に表示することで、「４桁の数字画像」および「：」を第２装飾図柄表示装置２０８Ｍと第３装飾図柄表示装置２０８Ｎとに跨がって表示された状態で、タイマ表示のカウントダウンを再開し、「００：００」（０）となるまで継続して行う
　
　上記アの記載事項、および、イの認定事項を総合すると、引用例１には、次の発明（以下「引用発明」という。）が記載されていると認められる（ａ〜ｅは、本件補正発明のＡ〜Ｅに対応させて当審にて付した。）。
「ａ　数字を表示する、タイマ表示を行う第２装飾図柄表示装置２０８Ｍ（【０４０４】、【０４０９】、【０４１１】、【０８１１】）と、
　ｂ　数字を表示する、タイマ表示を行う第３装飾図柄表示装置２０８Ｎ（【０４０４】、【０４０６】、【０４０９】、【０８１１】）と、
　ｃ　第２装飾図柄表示装置２０８Ｍおよび第３装飾図柄表示装置２０８Ｎにタイマ表示等の画像を表示する制御処理を行う第２副制御部５００（【００２４】、【００６１】、【０４０４】、【０４０９】）と、を備えたパチンコ機１００（【００１０】）であって、
　ｄ　第２副制御部５００は、タイマ予告表示ＴＭ１のタイマ表示のカウントダウンを行うタイマ予告演出において、タイマ表示が示す時間に１０秒が上乗せされた時間を示す「１５：００」の表示を、第２装飾図柄表示装置２０８Ｍと第３装飾図柄表示装置２０８Ｎとに跨って表示された状態、
すなわち、小数点第２位から２桁までからなる「４桁の数字画像」および「：」のうち、「２桁目の数字画像」と「・」と「小数点１桁目の数字画像」とを、左側に位置する第２装飾図柄表示装置２０８Ｍに上中下に表示し、「１桁目の数字画像」と「・」「小数点２桁目の数字画像」とを、右側に位置する第３装飾図柄表示装置２０８Ｎに上中下に表示することで、「４桁の数字画像」および「：」を第２装飾図柄表示装置２０８Ｍと第３装飾図柄表示装置２０８Ｎとに跨がって表示された状態で、タイマ表示のカウントダウンを再開し、「００：００」（０）となるまで継続して行う（認定事項（ア））、
　ｅ　パチンコ機１００。」
　
　（３）対比
　本件補正発明と引用発明とを、分説に従い対比する。
　　（ａ）
　引用発明における「数字を表示する、タイマ表示」、「第２装飾図柄表示装置２０８Ｍ」は、それぞれ、本件補正発明における「数字画像を表示可能」とすること、「第１表示装置」に相当する。
　したがって、引用発明における構成ａは、本件補正発明における構成Ａに相当する。
　
　　（ｂ）
　上記（ａ）より、引用発明における「数字を表示する、タイマ表示」は、本件補正発明における「数字画像を表示可能」とすることに相当する。
　そして、引用発明における「第３装飾図柄表示装置２０８Ｎ」は、本件補正発明における「第２表示装置」に相当する。
　したがって、引用発明における構成ｂは、本件補正発明における構成Ｂに相当する。
　
　　（ｃ、ｅ）
　上記（ａ）、（ｂ）より、引用発明における「第２装飾図柄表示装置２０８Ｍ」および「第３装飾図柄表示装置２０８Ｎ」は、本件補正発明における「表示装置」に相当する。
　そして、引用発明における「タイマ表示」は、構成ａ〜ｂより、「数字を表示する」ことにより行われるから、引用発明における「タイマ表示等の画像を表示する制御処理を行う」ことは、本件補正発明における「数字画像を表示させる」ことに相当する。
　また、引用発明における「第２副制御部５０」は、本件補正発明における「表示制御手段」に相当する。
　さらに、引用発明における「パチンコ機１００」は、本件補正発明における「遊技機」に相当する。
　
　したがって、引用発明における構成ｃ、ｅは、本件補正発明における構成Ｃ、Ｅに相当する。　
　
　　（ｄ）
　引用発明における「タイマ表示が示す時間に１０秒が上乗せされた時間を示す「１５：００」の表示」は、図柄の変動表示とは別の「タイマ予告演出」に係る表示であり、また、「４桁の数字」を用いて表示されるものであるから、引用発明における「タイマ表示が示す時間に１０秒が上乗せされた時間を示す「１５：００」の表示」を行うことと、本件補正発明における「図柄の変動表示とは別に、１桁の数字を構成する画像である数字画像を表示可能であ」ることとは、「図柄の変動表示とは別に、数字を構成する画像である数字画像を表示可能であ」る点で共通する。
　
　ここで、引用発明における「「１５：００」」、「「００：００」（０）」、「「タイマ予告表示ＴＭ１のタイマ表示のカウントダウンを行うタイマ予告演出」は、それぞれ、本件補正発明における「所定値」、「０」、「カウントダウン演出」に相当する。そうすると、引用発明における「タイマ予告表示ＴＭ１のタイマ表示のカウントダウンを行うタイマ予告演出において」、「「１５：００」の表示が」、「表示された状態で、タイマ表示のカウントダウンが再開され、「００：００」（０）となるまで継続して行う」ことは、本件補正発明における「数字が所定値から０になるまで数字画像を更新表示するカウントダウン演出を実行可能となって」いることに相当する。
　
　そして、引用発明における「小数点第２位から２桁までからなる「４桁の数字画像」および「：」のうち、「２桁目の数字画像」と「・」と「小数点１桁目の数字画像」とを、左側に位置する第２装飾図柄表示装置２０８Ｍに上中下に表示し、「１桁目の数字画像」と「・」「小数点２桁目の数字画像」とを、右側に位置する第３装飾図柄表示装置２０８Ｎに上中下に表示することで、「４桁の数字画像」および「：」を第２装飾図柄表示装置２０８Ｍと第３装飾図柄表示装置２０８Ｎとに跨がって表示された状態で、タイマ表示のカウントダウンを再開」する「タイマ予告表示ＴＭ１のタイマ表示のカウントダウンを行うタイマ予告演出」と、本件補正発明における「１桁の数字画像の一部分を第１表示装置に表示し、１桁の数字画像の残り部分を第２表示装置に表示する跨ぎ表示でおこなわれる」「カウントダウン演出」とは、「数字画像の一部分を第１表示装置に表示し、数字画像の残り部分を第２表示装置に表示する跨ぎ表示でおこなわれるカウントダウン演出」である点で共通する。
　
　したがって、引用発明における構成ｄと、本件補正発明における構成Ｄとは、「表示制御手段は、図柄の変動表示とは別に、数字を構成する画像である数字画像を表示可能であり、数字が所定値から０になるまで数字画像を更新表示するカウントダウン演出を実行可能となっており、カウントダウン演出は、数字画像の一部分を第１表示装置に表示し、数字画像の残り部分を第２表示装置に表示する跨ぎ表示でおこなわれる」ことで共通する。
　
　上記（ａ）〜（ｄ）によれば、本件補正発明と引用発明は、
「Ａ　数字画像を表示可能な第１表示装置と、
　Ｂ　数字画像を表示可能な第２表示装置と、
　Ｃ　前記表示装置に前記数字画像を表示させる表示制御手段と、を備えた遊技機であって、
　Ｄ’前記表示制御手段は、図柄の変動表示とは別に、数字を構成する画像である数字画像を表示可能であり、前記数字が所定値から０になるまで前記数字画像を更新表示するカウントダウン演出を実行可能となっており、前記カウントダウン演出は、前記数字画像の一部分を第１表示装置に表示し、前記数字画像の残り部分を第２表示装置に表示する跨ぎ表示でおこなわれる、
　Ｅ　遊技機。」の点で一致し、次の点で相違する。
　
［相違点］（構成Ｄ）
　数字画像および数字画像による跨ぎ表示に関し、
　本件補正発明は、数字画像が、１桁の数字を構成する画像であって、跨ぎ表示が、１桁の数字画像の一部分を第１表示装置に表示し、１桁の数字画像の残り部分を第２表示装置に表示することで行われるのに対して、
　引用発明は、数字画像が４桁の数字を構成する画像であって、跨ぎ表示が、「４桁の数字画像」および「：」を第２装飾図柄表示装置２０８Ｍと第３装飾図柄表示装置２０８Ｎとに跨がって表示された状態」で行われる点。
　
　（４）当審判合議体の判断
　上記相違点について検討する。
　遊技機の技術分野において、カウントダウン演出を、１桁の数字を構成する画像を含む数字画像を９から０になるまで更新表示することで行い、１桁の数字を構成する画像を表示装置の表示領域の中心線上に表示させることは、本願の出願前に周知の技術事項である（例えば、特開２０１４−１４０３９１号公報の【０２４２】、【図２６】には、カウントダウン演出を、１桁の数字画像を表示することで行い、１桁の数字画像を演出表示装置９の中心線上に表示させることが示され、特開２０１４−１９５５８０号公報の【０２８３】〜【０２８４】、【図３５】には、カウントダウン演出を、１桁の数字画像を表示することで行い、１桁の数字画像を演出表示装置９の中心線上に表示させることが示されている（以下「周知の技術事項１」という。）。
　
　特開２０１４−１４０３９１号公報の【図２６】（カウントダウン演出および一斉演出の具体例を示す説明図である。）
　特開２０１４−１９５５８０号公報の【図３５】（カウントダウン演出および一斉演出の具体例を示す説明図である。）
　また、同じく、遊技機の技術分野において、遊技の興趣を向上させるために、１つの文字画像を並列配置された２つの表示装置に跨ぎ表示させる際に、１つの文字画像の一部分を一方の表示装置に表示し、１つの文字画像の残りの部分を他方の表示装置に表示することにより、１つの文字画像の中心線と、２つの表示装置を併せた表示領域の中心線とを一致させることは、本願の出願前に周知の技術事項である（例えば、後述する引用例２：特開２００６−２４６９９３号公報の【０００４】、【００４０】、【００４２】〜【００４３】、【図４】〜【図６】には、図柄「ＡＷＡ」、「ＡＡＡ」、「ＡＢＡ」の各中図柄「Ｗ」、「Ａ」、「Ｂ」が、並列配置された第１ダミー図柄表示部１４と第２ダミー図柄表示部１８にまたがって表示されることが示され、同じく、後述する引用例３：特開２００６−２１８０９８号公報の【００３０】〜【００３１】、【００３３】〜【００３５】、【図３】、【図５】には、算用数字を表現した図形を含む図柄列Ｃの図柄を左半分の図形と右半分の図柄とに分けて、それぞれ、並列配置された図柄表示装置３１、３２の図柄表示領域３１ａ、３２ａに跨った状態で変動表示させることが示されている（以下「周知の技術事項２」という。）。
　特開２００６−２４６９９３号公報の【図４】（リーチ発生時の図柄変動表示例を示す図）
　同【図５】（シングル大当たりの図柄変動表示例を示す図。）
同【図６】（双方ハズレの図柄変動表示例を示す図。）
特開２００６−２１８０９８号公報の【図５】（図５は図４の続きを示す説明図であり、図５（Ｄ）は図柄表示装置３１，３２が共同で図柄列を変動表示している状態を示す説明図、図５（Ｅ）は図柄表示装置３１，３２が共同で停止図柄を表示している状態を示す説明図、図５（Ｆ）は変動表示が終了した状態　を示す説明図である。）
　さらに、遊技機の技術分野において、小数点以下２桁を含む数字（「１０：００」）を用いて秒数を表示するカウントダウン表示において、小数点以下２桁を表示せず、かつ、カウントが一桁まで進んだ際に、一桁の数字に２桁目の「０」を付けずに、「１０」、「９」・・・「０」という整数である数字のみで秒数を表示することは、本願の出願前に周知の技術事項である（例えば、特開２０１７−２２５５３２号公報の【０２９７】〜【０２９８】や、特開２０１７−７９８６５号公報の【０２２９】〜【０２３０】を参照。以下「周知の技術事項３」という。）。
　
　ここで、引用発明と上記周知の技術事項１、３とは、図柄の変動表示とは別に、数字画像を用いてカウントダウン演出を行うことで共通する。
　また、引用発明および上記周知の技術事項１は、カウントダウン演出を行うことにより、その後に新たな演出が行われることの期待感をあおるという、遊技機の技術分野における周知の課題を解決する点で共通する。
　さらに、引用発明および上記周知の技術事項２は、並列配置された表示装置に数字等の文字を跨ぎ表示させるという共通の機能を有するものである。
　したがって、引用発明のカウントダウン演出に上記周知の技術事項１および３に示されたカウントダウン演出を適用して、４桁の数字画像および「：」を表示することに換えて、小数点以下２桁を表示せず、整数である、数字のみで秒数を表示し、カウントが一桁まで進んだ際に、２桁目の「０」を付けない一桁の整数である数字による秒数の表示を、第２装飾図柄表示装置２０８Ｍと第３装飾図柄表示装置２０８Ｎとの２つの表示装置を併せた表示領域の中心線上にて行うことは、当業者が必要に応じてなし得たものであり、その際に、上記周知の技術事項２に倣って、１桁の数字による秒数の表示を、その１桁の秒数像の中心線と、２つの表示装置を併せた表示領域の中心線とが一致するように、第２装飾図柄表示装置２０８Ｍと第３装飾図柄表示装置２０８Ｎとに跨ぎ表示させ、上記相違点に係る本件補正発明の構成とすることは、当業者が容易になし得たものである。
　また、本件補正発明により奏される効果は、引用発明および上記周知の技術事項１〜３に基づいて当業者が予測できる効果の範囲内のものである。
　よって、本件補正発明は、引用発明、および、上記周知の技術事項１〜３に基いて当業者が容易に発明をすることができたものである。
　
　（５）請求人の主張について 
　令和２年３月５日付け意見書において、請求人は次の主張をする。
　「引用文献１には、本願発明の構成（Ｄ）である「カウントダウン演出では、１桁の数字を構成する画像である数字画像を表示可能であり、数字が所定値から０になるまで数字画像を更新表示すること」については何ら記載がありません。」（（１−２）本願発明と引用文献との対比、（１−２−１）引用文献１を主引例とする場合）
　
　そこで、請求人の上記主張について検討する。
　請求人が主張するように、引用例１には、「カウントダウン演出では、１桁の数字を構成する画像である数字画像を表示可能であり、数字が所定値から０になるまで数字画像を更新表示すること」についての記載はないが、当該技術事項は、上記（４）において周知の技術事項１、３として示したように、本願の出願前に周知の技術事項であり、引用発明に上記周知の技術事項１、３を適用して、当該技術事項の構成を備えることは、当業者が容易になし得たものである。
　したがって、請求人の上記主張を採用することはできない。
　
　（６）まとめ
　上記（１）〜（５）より、本件補正発明は、特許法第２９条第２項の規定により、特許出願の際に独立して特許を受けることができないものであるから、本件補正は、同法第１７条の２第６項において準用する同法第１２６条第７項に規定する要件を満たさないものであり、同法第１５９条第１項において読み替えて準用する同法第５３条第１項の規定により却下すべきものである。
　
第３　本願発明について
　１　本願発明
　本件補正は、上記のとおり却下されることとなったので、本願の請求項１に係る発明（以下「本願発明」という。）は、令和１年１１月２９日付け手続補正書により補正された、次のとおりのものと認める。
「Ａ　数字画像を表示可能な第１表示装置と、
　Ｂ　数字画像を表示可能な第２表示装置と、
　Ｃ　前記表示装置に前記数字画像を表示させる表示制御手段と、を備えた遊技機であって、
　Ｄ　前記表示制御手段は、１桁の数字画像を所定の順序で表示するカウント表示にあたり、前記カウント表示の開始から終了までを前記第１表示装置と前記第２表示装置とに跨る跨ぎ表示でおこない、前記跨ぎ表示は、前記１桁の数字画像の一部分を第１表示装置に表示し、前記１桁の数字画像の残り部分を第２表示装置に表示する表示である、
　Ｅ　ことを特徴とする遊技機。」
　
　２　拒絶の理由の概要
　当審による令和１年１２月２７日付け拒絶理由は、概略、次のとおりのものである。
　
１（進歩性）
　本願発明は、その出願前に日本国内において、頒布された、又は、電気通信回線を通じて公衆に利用可能となった引用例１に記載された発明、もしくは、引用例３に記載された発明に基いて、その出願前にその発明の属する技術の分野における通常の知識を有する者が容易に発明をすることができたものであるから、特許法第２９条第２項の規定により特許を受けることができない。
　
　　　　　　　　　　　　　　　　記
　　１　特開２０１７−２１３３７８号公報（引用発明）
　　２　特開２００６−２４６９９３号公報（周知技術を示す文献）
　　３　特開２００６−２１８０９８号公報（周知技術を示す文献、引用発明３）
　
　３　引用例に記載された事項
　（１）引用発明について
　当審判合議体による令和１年１２月２７日付け拒絶の理由に引用された引用例１（前記「第２［理由］２　２−２（２）」の「引用例１」に対応する。）の記載事項および引用発明の認定については、前記「第２［理由］２　２−２（２）」に記載したとおりである。
　
　（２）引用例３に記載された発明
　当審判合議体による令和１年１２月２７日付け拒絶理由に引用例３として引用された、本願の出願前に頒布された特開２００６−２１８０９８号公報には、図面とともに以下の事項が記載されている（下線は当審判合議体にて付した。以下同じ。）。
　　　ア　記載事項
　　　（ア）「【００２４】
＜第１実施形態＞
［全体の主要構成］
　まず、この実施形態のパチンコ機の主要構成について図１および図２を参照して説明する。図１は、そのパチンコ機の外観を正面から見た説明図であり、図２は図１に示すパチンコ機に備えられた遊技盤を正面から見た概略説明図である。
　図１に示すように、
パチンコ機１
　
　　　（イ）「【００３０】
　図３（Ａ）に示すように、
図柄表示装置３１が変動表示する図柄列Ａ１は、算用数字の０〜９を順に表したＡ１０〜Ａ１９の計１０個の特別図柄を縦に配列して構成される。
　また、
図柄表示装置３１が変動表示する図柄列Ａ２は、Ａ２０〜Ａ２９の計１０個の図柄を縦に配列して構成される。
算用数字を表現した図形を縦に２等分した場合の左半分の図形および葡萄を表現した絵を取り入れて構成される。図柄列Ａ２は、図柄表示装置３１の図柄表示領域３１ａ上を上から下へ数字の小さい順に移動するように配列されている。
【００３１】
　図３（Ｂ）に示すように、
図柄表示装置３２が変動表示する図柄列Ｂ１は、算用数字の０〜９を順に表したＢ１０〜Ｂ１９の計１０個の特別図柄を縦に配列して構成される。
　また、
図柄表示装置３２が変動表示する図柄列Ｂ２は、Ｂ２０〜Ｂ２９の計１０個の特別図柄を縦に配列して構成される。
算用数字を表現した図形を縦に２等分した場合の右半分の図形およびチェリーを表現して構成されている。図柄列Ｂ２は、図柄表示装置３２の図柄表示領域３２ａ上を上から下へ数字の小さい順に移動するように配列されている。
　
　　　（ウ）「【００３４】
　今、図４（Ａ）に示すように、図柄表示装置３１，３２が、前回の大当り抽選の結果を示す停止図柄を表示しているとする。図４（Ａ）に示す例では、図柄表示装置３１はハズレ図柄「１・２・３」を停止表示し、図柄表示装置３２はハズレ図柄「７・８・９」を停止表示している。そして、遊技球が第１始動口１２に入賞すると、図柄表示装置３１により表示されるＡ変動パターンの種類が、複数種類のＡ変動パターンの中から抽選により決定され、図４（Ｂ）に示すように、図柄表示装置３１が、上記決定された
Ａ変動パターンに従って、
図柄列Ａ１の変動表示をそれぞれ開始する。
Ｂ変動パターンに従って、
図柄列Ｂ１の変動表示をそれぞれ開始する。
【００３５】
　そして、
図柄列の変動開始から所定時間経過すると、
変動表示が停止する。
　そして、第１保留数および第２保留数がそれぞれ１以上になり、かつ、遊技球が第１始動口１２または第２始動口１３に入賞したときにそれぞれ抽選により決定された各変動パターンの少なくとも一方がリーチ変動パターンであった場合は、図５（Ｄ）に示すように、
図柄表示領域３１ａの右端にて図柄列Ａ２が変動表示され、図柄表示領域３２ａの左端にて図柄列Ｂ２が変動表示される。つまり、図柄表示領域３１ａ，３２ａが、図柄列Ａ２および図柄列Ｂ２を合わせた図柄列Ｃからなる共通変動パターンを共同で変動表示する。
　
　　　（エ）「【００４４】
　
図柄制御基板３８に搭載された
ＶＤＰ３８ｄは、
　ＶＤＰ３８ｄは、キャラクタＲＯＭ３９から読出した画像データを構成するドットの各図柄表示領域におけるアドレス、表示色などを上記解析結果に基づいて演算し、その演算結果を内蔵のパレットＲＡＭ３８ｅに一時的に格納する。続いてＶＤＰ３８ｄは、パレットＲＡＭ３８ｅに格納されている演算結果に基づいてＲＧＢ信号を液晶アナログ基板３８ｆへ送出する。続いて液晶アナログ基板３８ｆは、取込んだＲＧＢ信号の色補正および輝度調整を行い、その信号を液晶インバータ基板３８ｇへ送出する。液晶インバータ基板３８ｇは、バックライト電源の役割を果たし、取込んだ信号を昇圧（たとえば、１２Ｖから６００Ｖ）し、
図柄表示装置３１，３２
各種の画像が表示される。
　なお、この実施形態では、図柄表示装置３１，３２は、それぞれＴＦＴ（Thin FilmTransistor）を画素駆動素子とするアクティブマトリックス方式の液晶表示装置である。」
　
　　　（オ）「【００６０】
　続いて、共通変動パターンの変動時間を計測するためのタイマカウンタＴ３をセットし（Ｓ３９）、共通変動パターンの変動表示開始を命令するための
共通変動開始コマンドを図柄制御基板３８へ送信する（Ｓ４０）。これにより、図柄表示装置３１，３２は、共通変動パターンの変動表示を開始する
　そして、次に特別図柄処理１を実行する周期になると、メインＣＰＵ１１２は、Ｓ２０：Ｎｏ、Ｓ２１：Ｎｏ、Ｓ２２：Ｙｅｓ、Ｓ２３：Ｙｅｓとそれぞれ判定し（図１１）、共通変動条件成立フラグがＯＮしているか否かを判定する（図１４のＳ８１）。ここでは、先のＳ３７（図１２）において共通変動条件成立フラグがＯＮしているため肯定判定し（Ｓ８１：Ｙｅｓ）、先のＳ３９（図１２）においてセットしたタイマカウンタＴ３から１を減算する（Ｓ８２）。続いて、タイマカウンタＴ３が０になったか否かを判定し（Ｓ８３）、０になったと判定した場合は（Ｓ８３：Ｙｅｓ）、共通変動パターンの変動表示停止を命令するための共通変動停止コマンドを図柄制御基板３８へ送信する（Ｓ８４）。これにより、図柄表示装置３１，３２は、共通変動パターンの変動表示を同時に停止する（図９（Ａ）のｔ６、図５（Ｅ）、（Ｆ））。続いて、Ａ変動フラグおよびＢ変動フラグをそれぞれＯＦＦし（Ｓ８５）、共通変動条件成立フラグをＯＦＦする（Ｓ８６）。
【００６１】
（６）共通変動パターンを表示するための条件が成立しなかった場合
　メインＣＰＵ１１２は、図１２のＳ３６において、リーチフラグがＯＮしていない、つまり第１保留数Ｕ１および第２保留数Ｕ２に基づいてそれぞれ行った大当り判定処理のいずれにおいてもリーチフラグがＯＮしなかったと判定した場合は（Ｓ３６：Ｎｏ）、先のＳ９８（図１５）と同じようにＡ変動パターンを抽選により決定する（Ｓ４４）。続いて、タイマカウンタＴ１をセットし（Ｓ４５）、
Ａ変動開始コマンドを図柄制御基板３８へ送信する（Ｓ４６）。これにより、図柄表示装置３１は、Ｓ４４において決定したＡ変動パターンの変動表示を開始する。
  続いて、Ａ変動フラグをＯＮし（Ｓ４７）、Ｂ変動パターンを抽選により決定する（Ｓ４８）。Ｂ変動パターンには、リーチ変動パターンと、リーチを伴わない通常変動パターンとがある。このＳ４８では、Ｂ変動パターンの他にリーチ図柄、大当り図柄およびハズレ図柄も決定する。Ｂ変動パターン、リーチ図柄、大当り図柄およびハズレ図柄の決定は、Ａ変動パターンの抽選（図１５のＳ９８）と同じ方法により行う。
　続いて、Ｓ４８において決定したＢ変動パターンの変動時間を計測するタイマカウンタＴ２をセットし（Ｓ４９）、Ｂ変動パターンの変動表示停止を命令するためのＢ変動開始コマンドを図柄制御基板３８へ送信する（Ｓ５０）。これにより、
図柄表示装置３２は、Ｓ４８において決定したＢ変動パターンの変動表示を開始する。
　
　上記アの記載事項、および、図面の図示内容を総合すると、引用例３には、次の発明（以下「引用発明３」という。）が記載されていると認められる（ａ〜ｅは、本願発明のＡ〜Ｅに対応させて当審判合議体にて付した。）。
「ａ　算用数字の０〜９を順に表したＡ１０〜Ａ１９の計１０個の特別図柄からなる図柄列Ａ１を変動表示するとともに、
　算用数字の０〜９を順に表した図形を縦に２等分した場合の左半分の図形から構成されるＡ２０〜Ａ２９の計１０個の図柄からなる図柄列Ａ２を変動表示する図柄表示装置３１（【００３０】）と、
　ｂ　算用数字の０〜９を順に表したＢ１０〜Ｂ１９の計１０個の特別図柄からなる図柄列Ｂ１を変動表示するとともに、
　算用数字の０〜９を順に表した図形を縦に２等分した場合の右半分の図形から構成されるＢ２０〜Ｂ２９の計１０個の図柄からなる図柄列Ｂ２を変動表示する図柄表示装置３２（【００３１】）と、
　ｃ　共通変動開始コマンドを受信することにより、図柄表示装置３１，３２に、図柄列Ａ２および図柄列Ｂ２を合わせた図柄列Ｃからなる共通変動パターンの変動表示を開始し、
　Ａ変動開始コマンドを受信することにより、図柄表示装置３１に、図柄列Ａ１からなるＡ変動パターンの変動表示を開始し、
　Ｂ変動開始コマンドを受信することにより、図柄表示装置３２に、図柄列Ｂ１からなるＢ変動パターンの変動表示を開始する図柄制御基板３８（【００３４】〜【００３５】、【００４４】、【００６０】〜【００６１】）と、を備えたパチンコ機１（【００２４】）において、
　ｄ　図柄制御基板３８は、共通変動パターン変動表示を、図柄表示領域３１ａの右端にて図柄列Ａ２を変動表示し、図柄表示領域３２ａの左端にて図柄列Ｂ２を変動表示することで、図柄表示装置３１の図柄表示領域３１ａと図柄表示装置３２の図柄表示領域３２ａが、図柄列Ａ２および図柄列Ｂ２を合わせた図柄列Ｃによる変動表示を上から下へ数字の小さい順に移動するように行い、図柄列の変動開始から所定時間経過すると、変動表示が停止する（【００３０】〜【００３１】、【００３５】、【００４４】）、
　ｅ　パチンコ機１。」
　
　４　対比・判断 
　（１）引用発明を主引例とした場合
　本願発明は、前記第２の「２−２　独立特許要件」で検討した本件補正発明の「表示制御手段」が行う「カウント表示」に関して、「
図柄の変動表示とは別に、１桁の数字を構成する画像である数字画像を表示可能であり、前記数字が所定値から０になるまで前記数字画像を更新表示するカウントダウン演出を実行可能となっており、前記カウントダウン演出は、
跨ぎ表示でおこなわれる
　そうすると、本願発明と引用発明とは、本件補正発明と同様に、構成Ｄに関して、次の点（［相違点’］）で相違し、その余の点において一致する。 
　 
［相違点’］（構成Ｄ）
　数字画像および数字画像による跨ぎ表示に関し、
　本願発明は、数字画像が、「１桁の数字画像」であって、跨ぎ表示が、「１桁の数字画像の一部分を第１表示装置に表示し、１桁の数字画像の残り部分を第２表示装置に表示する」ことで行われるのに対して、
　引用発明は、数字画像が４桁の数字を構成する画像であって、跨ぎ表示が、「４桁の数字を第２装飾図柄表示装置２０８Ｍと第３装飾図柄表示装置２０８Ｎとに、２桁目と１桁目との間、および、小数点１桁目と小数点２桁目との間が跨がって表示され」ることで行われる点。
　
　ここで、本件補正発明と引用発明との相違点である前記［相違点］と、本願発明と引用発明との相違点である上記［相違点’］とは、実質的に同じ内容のものである。
　そうすると、前記［相違点］についての検討と同様にして、本願発明は、引用発明、および、上記周知の技術事項１〜３に基いて当業者が容易になし得たものである。
　また、本願発明により奏される効果は、引用発明および上記周知の技術事項１〜３に基づいて当業者が予測できる効果の範囲内のものである。
　したがって、本願発明は、引用発明に基づいて当業者が容易に発明できたものである。
　よって、本願発明は、特許法第２９条第２項の規定により特許を受けることができない。
　
　（２）引用発明３を主引例とした場合
　本願発明と引用発明３とを、分説に従い対比する。
　　（ａ）
　引用発明３における「算用数字の０〜９を順に表したＡ１０〜Ａ１９の計１０個の特別図柄からなる図柄列Ａ１」および「算用数字の０〜９を順に表した図形を縦に２等分した場合の左半分の図形から構成されるＡ２０〜Ａ２９の計１０個の図柄からなる図柄列Ａ２」は、本願発明における「数字画像」に相当する。
　そして、引用発明３における「変動表示する」ことは、本願発明における「表示可能な」ことに相当する。
　また、引用発明３における「図柄表示装置３１」は、本願発明における「第１表示装置」に相当する。
　したがって、引用発明３の構成ａは、本願発明の構成Ａに相当する。
　
　　（ｂ）
　引用発明３における「算用数字の０〜９を順に表したＢ１０〜Ｂ１９の計１０個の特別図柄からなる図柄列Ｂ１」および「算用数字の０〜９を順に表した図形を縦に２等分した場合の右半分の図形から構成されるＢ２０〜Ｂ２９の計１０個の図柄からなる図柄列Ｂ２」は、本願発明における「数字画像」に相当する。
　そして、上記（ａ）より、引用発明３における「変動表示する」ことは、本願発明における「表示可能な」ことに相当する。
　また、引用発明３における「図柄表示装置３２」は、本願発明における「第２表示装置」に相当する。
　したがって、引用発明３の構成ｂは、本願発明の構成Ｂに相当する。
　
　　（ｃ、ｅ）
　引用発明３における「図柄列Ａ２および図柄列Ｂ２を合わせた図柄列Ｃからなる共通変動パターンの変動表示」、「図柄列Ａ１からなるＡ変動パターンの変動表示」、および、「図柄列Ｂ１からなるＢ変動パターンの変動表示」は、構成ａ〜ｂによれば、いずれも図柄列に「算用数字の０〜９」を用いるものであるから、本願発明における「数字画像を表示させる」ことに相当する。
　そして、引用発明３における「図柄制御基板３８」は、本願発明における「表示制御手段」に相当する。
　また、引用発明３における「パチンコ機１」は、本願発明における「遊技機」に相当する。
　したがって、引用発明３の構成ｃは、本願発明の構成Ｃに相当する。
　
　　（ｄ）
　引用発明３における「図柄表示領域３１ａの右端にて図柄列Ａ２を変動表示し、図柄表示領域３２ａの左端にて図柄列Ｂ２を変動表示する」ことは、構成ａより、「図柄列Ａ２」が、「算用数字の０〜９を順に表した図形を縦に２等分した場合の左半分の図形」から構成され、構成ｂより、「図柄列Ｂ２」が、「算用数字の０〜９を順に表した図形を縦に２等分した場合の右半分の図形」から構成されるものであって、「図柄列Ａ２」および「図柄列Ｂ２」を「上から下へ数字の小さい順に移動するように」「変動表示」することである。
　そうすると、引用発明３における「図柄列Ａ２および図柄列Ｂ２を合わせた図柄列Ｃ」と、本願発明における「１桁の数字画像」とは、「１桁の数字画像を含む画像」である点で共通し、引用発明３における「図柄列Ｃによる変動表示を上から下へ数字の小さい順に移動するように行」うことは、本願発明におけ「所定の順序で表示するカウント表示」に相当する。
　そして、引用発明３における「図柄表示領域３１ａの右端にて図柄列Ａ２が変動表示され、図柄表示領域３２ａの左端にて図柄列Ｂ２が変動表示される」「共通変動パターン変動表示」を「行い、図柄列の変動開始から所定時間経過すると、変動表示が停止する」ことは、本願発明における「カウント表示の開始から終了までを第１表示装置と第２表示装置とに跨る」、「１桁の数字画像の一部分を第１表示装置に表示し、１桁の数字画像の残り部分を第２表示装置に表示する表示である」「跨ぎ表示でおこな」うことに相当する。
　したがって、引用発明３における構成ｄは、本願発明における構成Ｄに相当する。
　
　上記（ａ）〜（ｄ）より、本願発明は、引用発明３である。
　よって、本願発明は、特許法第２９条第１項第３号に該当し特許を受けることができない。
　
　なお、令和１年１２月２７日付けの当審判合議体による最後の拒絶の理由は、本願発明は、特許法第２９条第２項の規定により特許を受けることができないとしたものであって、審決における本願発明についての当審判合議体の理由とは適用する条項を異にするものであるが、拒絶をすべき根拠となる引用例３（特開２００６−２１８０９８号公報）は同一であり、また、特許法第２９条第２項の検討に際しては、まず同条第１項について検討し、その後更に同条第２項について検討するものであるところ、請求人は、令和２年３月５日付け意見書において、本件補正発明と引用発明３との相違点が、もっぱら、同日付け手続補正書により新たに付加された特定事項にある旨の主張を行うものであるから、請求人には既に同条第１項について検討する十分な機会が与えられており、改めて意見書を提出する機会を与える必要を認めない。
　
　５　むすび
　上記１〜４より、本願発明は、特許法第２９条第２項の規定により、または、特許法第２９条第１項第３号に該当し、特許を受けることができない。
　したがって、本願は拒絶すべきである。
　よって、結論のとおり審決する。